(57)【要約】【課題】表示画面やレンズなどの傷付きやすい部材の損傷を防止し、取り扱い性を向上させることができるＲＦＩＤ機能付き携帯無線機の提供。【解決手段】タグアンテナ１１を棒状の磁性材と磁性材の周囲に巻回した巻線とで構成し、このタグアンテナ１１を折り畳み型携帯無線機の筐体ではなく、一方の筐体と他方の筐体とを開閉可能又は開閉及び回動可能に支持するヒンジ部４の内部、かつ、アンテナの軸とヒンジ部の開閉動作の回転軸とが略一致するように配設する。これによりヒンジ部４を立てた状態でリーダ／ライタアンテナに対向させてデータ通信を行うことができるため、表示画面やレンズなどの傷付きやすい部材の損傷を未然に防止することができる。また、目視で確認しなくても携帯無線機の向きを認識することができ、更に、携帯無線機を確実に握持することができるため、取り扱い性が格段に向上する。【選択図】図１
2007028197.tif 000002
【特許請求の範囲】
【請求項１】
電磁誘導又は電磁結合を利用してリーダ又はリーダ／ライタとデータ通信を行うタグを備える携帯無線機において、
前記タグのアンテナは、少なくとも、棒状又は筒状の磁性材と、該磁性材の周囲に巻回した巻線とで構成され、前記アンテナの軸が筐体の面方向を向くように配設されていることを特徴とする携帯無線機。
【請求項２】
一方の筐体と他方の筐体とがヒンジ部によって開閉可能、又は開閉及び回動可能に支持されてなる携帯無線機において、
電磁誘導又は電磁結合を利用してリーダ又はリーダ／ライタとデータ通信を行うタグを備え、
前記タグのアンテナは、少なくとも、棒状又は筒状の磁性材と、該磁性材の周囲に巻回した巻線とで構成され、
前記アンテナは、前記ヒンジ部の内部、かつ、前記アンテナの軸方向と前記ヒンジ部の開閉動作の回転軸方向とが略一致するように配設されていることを特徴とする携帯無線機。
【請求項３】
一方の筐体と他方の筐体とがヒンジ部によって開閉可能、又は開閉及び回動可能に支持されてなる携帯無線機において、
電磁誘導又は電磁結合を利用してリーダ又はリーダ／ライタとデータ通信を行うタグを備え、
前記タグのアンテナは、少なくとも、前記ヒンジ部の開閉動作の軸部の周囲の少なくとも一部を覆う筒状の磁性材と、該磁性材の周囲に巻回した巻線とで構成されていることを特徴とする携帯無線機。
【請求項４】
一方の筐体と他方の筐体とがヒンジ部によって開閉可能、又は開閉及び回動可能に支持されてなる携帯無線機において、
電磁誘導又は電磁結合を利用してリーダ又はリーダ／ライタとデータ通信を行うタグを備え、
前記タグのアンテナは、少なくとも、前記ヒンジ部の開閉動作の軸部の機能を兼ね備える棒状又は筒状の磁性材と、該磁性材の周囲に巻回した巻線とで構成されていることを特徴とする携帯無線機。
【請求項５】
前記磁性材は、磁性シートを巻いて形成したものであることを特徴とする請求項１乃至４のいずれか一に記載の携帯無線機。
【請求項６】
前記磁性材は、その長手方向の透磁率が径方向の透磁率よりも大きくなるように形成されていることを特徴とする請求項１乃至５のいずれか一に記載の携帯無線機。
【発明の詳細な説明】
【技術分野】
【０００１】
本発明は、携帯無線機に関し、特に、リーダ又はリーダ／ライタとデータ通信を行うＲＦＩＤ（Radio Frequency Identification）タグを備える携帯無線機に関する。
【背景技術】
【０００２】
近年、ＩＣチップを備えたタグとリーダ又はリーダ／ライタ（以下、総称してリーダ／ライタと呼ぶ。）との間でデータ通信を行うＲＦＩＤシステムが普及している。このＲＦＩＤシステムは、タグ及びリーダ／ライタの各々に備えたアンテナを用いてデータ通信を行うため、タグをリーダ／ライタから数ｃｍ乃至数十ｃｍ離しても通信可能であり、また、汚れや静電気等に強いという長所から、工場の生産管理、物流の管理、入退室管理等の様々な分野に利用されるようになってきている。
【０００３】
このＲＦＩＤシステムは、従来は単独のシステムとして利用されていたが、近年、ＲＦＩＤシステムを既存の機器に組み込み、機器にＲＦＩＤ機能を付加する構造が提案されており、例えば、電子決済を行うためのタグを組み込んだ携帯無線機も実用化されている。このような携帯無線機に関する発明として、例えば、特開２００３−３７８６１号公報には、脱着が可能なバッテリー部カバーに非接触式ＩＣカード機能部品を内蔵した携帯無線機や、携帯無線機の筐体の全周にわたってコイル状に配線したアンテナを配置した携帯無線機などが提案されている。
【０００４】
【特許文献１】特開２００３−３７８６１号公報（第３−４頁、第１図）
【発明の開示】
【発明が解決しようとする課題】
【０００５】
ここで、ＲＦＩＤシステムを用いてデータ通信を行うためには、携帯無線機に組み込まれたタグのアンテナの指向性を考慮する必要があり、アンテナをどのように組み込むかによって利用形態が大きく変化する。例えば、上記公報記載の携帯無線機では、バッテリー部カバーや筐体の全面にアンテナを組み込んでいるため、携帯無線機の表面又は裏面をリーダ／ライタのアンテナに対向させて利用することになる。
【０００６】
しかしながら、例えば、折り畳み型の携帯無線機では折り畳んだ状態でも情報が確認できるように、内側のみならず外側にも液晶表示装置などの表示画面が設けられており、また、カメラ機能を備えた携帯無線機の場合はカメラのレンズなども外側に設けられているため、表示画面やレンズなどが配置されている面をリーダ／ライタのアンテナに対向させて近接させると表示画面やレンズなどの傷付きやすい部材が損傷する恐れがある。特に、ＲＦＩＤ機能付き携帯無線機を定期券として利用する場合、確実にデータ通信を行うために改札ゲートの所定の位置に携帯無線機を押し当てる必要があるため、表示画面やレンズなどの部材が損傷する危険性が高くなる。
【０００７】
また、バッテリー部カバーや筐体にタグのアンテナを組み込む場合、筐体の内部に配置されているバッテリーや回路基板などによって電磁波が遮蔽されてしまうため、アンテナが組み込まれた面をリーダ／ライタのアンテナに対向させなければならないが、携帯無線機を鞄やポケットなどから取り出す時に手の感触では面を識別することが困難なため、利用時に携帯無線機の向きを目視で確認しなければならず、取り扱い性が悪いという問題がある。
【０００８】
また、携帯無線機の表面又は裏面をリーダ／ライタのアンテナに対向させるためには、携帯無線機の側面を握持しなければならないが、近年の携帯無線機は薄型化が進められているため、この方法では持ちづらく、やはり取り扱い性が悪いという問題もある。
【０００９】
本発明は、上記問題点に鑑みてなされたものであって、その主たる目的は、表示画面やレンズなどの傷付きやすい部材の損傷を防止し、取り扱い性を向上させることができるＲＦＩＤ機能付き携帯無線機を提供することにある。
【課題を解決するための手段】
【００１０】
上記目的を達成するため、本発明は、電磁誘導又は電磁結合を利用してリーダ又はリーダ／ライタとデータ通信を行うタグを備える携帯無線機において、前記タグのアンテナは、少なくとも、棒状又は筒状の磁性材と、該磁性材の周囲に巻回した巻線とで構成され、前記アンテナの軸が筐体の面方向を向くように配設されているものである。
【００１１】
また、本発明は、一方の筐体と他方の筐体とがヒンジ部によって開閉可能、又は開閉及び回動可能に支持されてなる携帯無線機において、電磁誘導又は電磁結合を利用してリーダ又はリーダ／ライタとデータ通信を行うタグを備え、前記タグのアンテナは、少なくとも、棒状又は筒状の磁性材と、該磁性材の周囲に巻回した巻線とで構成され、前記アンテナは、前記ヒンジ部の内部、かつ、前記アンテナの軸方向と前記ヒンジ部の開閉動作の回転軸方向とが略一致するように配設されているものである。
【００１２】
また、本発明は、一方の筐体と他方の筐体とがヒンジ部によって開閉可能、又は開閉及び回動可能に支持されてなる携帯無線機において、電磁誘導又は電磁結合を利用してリーダ又はリーダ／ライタとデータ通信を行うタグを備え、前記タグのアンテナは、少なくとも、前記ヒンジ部の開閉動作の軸部の周囲の少なくとも一部を覆う筒状の磁性材と、該磁性材の周囲に巻回した巻線とで構成されているものである。
【００１３】
また、本発明は、一方の筐体と他方の筐体とがヒンジ部によって開閉可能、又は開閉及び回動可能に支持されてなる携帯無線機において、電磁誘導又は電磁結合を利用してリーダ又はリーダ／ライタとデータ通信を行うタグを備え、前記タグのアンテナは、少なくとも、前記ヒンジ部の開閉動作の軸部の機能を兼ね備える棒状又は筒状の磁性材と、該磁性材の周囲に巻回した巻線とで構成されているものである。
【００１４】
本発明においては、前記磁性材は、磁性シートを巻いて形成したものとすることができる。
【００１５】
また、本発明においては、前記磁性材は、その長手方向の透磁率が径方向の透磁率よりも大きくなるように形成されている構成とすることができる。
【００１６】
このように、本発明では、ＲＦＩＤ機能利用時に、ヒンジ部を立てた状態でリーダ／ライタのアンテナに対向させるため、表示画面やレンズなどの傷付きやすい部材がリーダ／ライタの通信部などの物品に接触することがなく、これらの部材の損傷を未然に防止することができる。
【００１７】
また、ヒンジ部のどちらの端部をリーダ／ライタのアンテナに対向させてもデータ通信が可能であり、ヒンジ部を立てた状態は目視で確認しなくても手の感触で識別することができるため、取り扱い性を向上させることができる。更に、ヒンジ部を立てた状態でリーダ／ライタのアンテナに対向させる場合、携帯無線機の表面及び裏面を握持することになるため、携帯無線機を確実に保持することができ、落下などの不測の事態を未然に防止して取り扱い性を向上させることができる。
【発明の効果】
【００１８】
本発明のＲＦＩＤ機能付き携帯無線機によれば下記記載の効果を奏する。
【００１９】
本発明の第１の効果は、ＲＦＩＤ機能を利用する場合に、表示画面やレンズなどの傷付きやすい部材の損傷を未然に防止することができるということである。
【００２０】
その理由は、タグのアンテナを棒状の磁性材と磁性材の周囲に巻回した巻線とで構成し、このアンテナを折り畳み型携帯無線機の筐体ではなく、一方の筐体と他方の筐体とを開閉可能又は開閉及び回動可能に支持するヒンジ部の内部、かつ、アンテナの軸方向とヒンジ部の開閉動作の回転軸方向とが略一致するように配設しているため、ヒンジ部を立てた状態でリーダ／ライタのアンテナに対向させてデータ通信を行うことができるからである。
【００２１】
また、本発明の第２の効果は、ＲＦＩＤ機能を利用する場合における取り扱い性を向上させることができるということである。
【００２２】
その理由は、上記構造により、ヒンジ部のどちらの端部をリーダ／ライタのアンテナに対向させてもデータ通信が可能であり、ヒンジ部を立てた状態は手の感触で識別することができるため、ＲＦＩＤ機能を利用するたびに目視で確認する必要がないからである。また、ヒンジ部を立てた状態でリーダ／ライタのアンテナに対向させる場合、面積の広い携帯無線機の表面及び裏面を握持することになるため、側面を握持する場合に比べて、はるかに確実に携帯無線機を保持することができるからである。
【発明を実施するための最良の形態】
【００２３】
従来技術で示したように、近年、ＲＦＩＤ機能を備えた携帯無線機が実用化されており、タグのアンテナの設置に関して様々な提案がされているが、ＲＦＩＤシステムでデータ通信を行うためには、携帯無線機に組み込まれたタグのアンテナの指向性を考慮する必要があり、アンテナをどのように組み込むかによって利用形態が大きく変化する。しかしながら、従来はバッテリー部カバーや筐体の全面にアンテナを組み込んでいたため、ＲＦＩＤ機能を利用する際に、表示画面やレンズなどの傷付きやすい部材が損傷する恐れがあり、また、携帯無線機の向きを目視で確認したり、携帯無線機が落下しないように注意深く握持しなければならず、取り扱い性が悪いという問題があった。
【００２４】
そこで、本願発明では、一方の筐体と他方の筐体とがヒンジ部によって開閉可能又は開閉及び回動可能に支持されてなる折り畳み型の携帯無線機において、タグのアンテナの設置場所として、筐体やバッテリー部カバーを利用するのではなく、ヒンジ部の内部の空間を利用することによって上記問題を解決する。すなわち、タグのアンテナを、棒状の磁性材と、その磁性材の周囲に巻回する巻線とで構成し、このアンテナをヒンジ部の内部、かつ、アンテナの軸方向とヒンジの開閉動作の回転軸方向とが略一致するように配設する。
【００２５】
これにより、ＲＦＩＤ機能利用時に、ヒンジ部を立てた状態でリーダ／ライタのアンテナに対向させることになるため、表示画面やレンズなどの傷付きやすい部材の損傷を未然に防止することができる。また、目視で確認しなくても携帯無線機の向きを認識することができ、更に、携帯無線機を確実に握持することができるため、取り扱い性を格段に向上させることができる。
【実施例１】
【００２６】
上記した実施の形態についてさらに詳細に説明すべく、本発明の第１の実施例に係るＲＦＩＤ機能付き携帯無線機について、図１乃至図８を参照して説明する。図１は、本実施例に係るＲＦＩＤ機能付き携帯無線機の外観を示す図であり、図２は、本実施例に係るＲＦＩＤ機能付き携帯無線機の利用形態を模式的に示す図である。また、図３はＲＦＩＤシステムの構成を示すブロック図であり、図４は、本実施例のＲＦＩＤ機能付き携帯無線機のヒンジ部の構造を模式的に示す図、図５は、ヒンジ部の構造のバリエーションを示す図である。また、図６は、タグアンテナの構造を模式的に示す図であり、図７は、磁性材の構造を模式的に示す図、図８は、タグアンテナの設置場所の他の例を示す図である。
【００２７】
図１に示すように、本実施例のＲＦＩＤ機能付き携帯無線機１は、液晶表示装置や有機ＥＬ表示装置などの表示部５やデジタルカメラ機能のレンズなどを備える上部筐体２と、特殊キーや数字キーなどのボタンが配列された操作部６を備え、内部に携帯無線機１の各種機能（音声通話やメールの送受信、ｗｅｂの閲覧、写真撮影、音楽再生など通常の機能に加えて、電磁誘導又は電磁結合を利用してリーダ／ライタとデータ通信を行うＲＦＩＤ機能）を実現するための回路が収納された下部筐体３と、上部筐体２と下部筐体３とを開閉可能（又は開閉及び回動可能）に支持するヒンジ部４と、ヒンジ部４の内部に収納されるタグアンテナ１１と、一方の筐体内に一端が保持される伸縮自在なホイップアンテナ７などで構成されている。
【００２８】
なお、図１は例示であり、上部筐体２と下部筐体３とがヒンジ部４で支持されている任意の折り畳み型携帯無線機に適用することができ、上部筐体２や下部筐体３、ヒンジ部４の形状や開閉構造は任意であり、また、表示部５や操作部６、ホイップアンテナ７の構成、配置なども任意である。また、図１では、上部筐体２の構成物（例えば表示部５）と下部筐体３の構成物（例えば操作部６）の接続構造に関しては記載していないが、例えば、フレキシブルＰＣＢなどを用いて接続することができ、その場合、フレキシブルＰＣＢをヒンジ部４の内部で周回させることにより、開閉動作時にフレキシブルＰＣＢに応力が加わらないようにすることができる。
【００２９】
また、ＲＦＩＤ機能を実現するＲＦＩＤシステムは、ＲＦＩＤ機能付き携帯無線機１に内蔵されるタグと、改札ゲートなどに設置されるリーダ／ライタとからなり、各々は図３に示すように構成される。すなわち、タグ１０は、ヒンジ部４の内部に収納されるタグアンテナ１１と、下部筐体３などに収納されるタグ回路１２とからなり、タグ回路１２は、電源回路１６、無線周波数回路１３、変調回路１４、復調回路１５、ＣＰＵ１７、メモリ１８などにより構成される。また、リーダ／ライタ２０は、タグアンテナ１１とデータ通信を行うリーダ／ライタアンテナ２１と、データ通信の制御を行うリーダ／ライタ回路２２とからなり、リーダ／ライタ回路２２も同様に、電源回路２６、無線周波数回路２３、変調回路２４、復調回路２５、ＣＰＵ２７、メモリ２８などにより構成される。
【００３０】
そして、上記構成のＲＦＩＤ機能付き携帯無線機１は、通常の携帯無線機として利用されると共に、ＲＦＩＤシステムのタグ１０としても利用される。例えば、図２に示すように、リーダ／ライタ２０を駅に設置される改札ゲート８に配置した場合は、改札ゲート８の所定の位置に設けられた通信部９ａに本実施例のＲＦＩＤ機能付き携帯無線機１を近接させることにより、ヒンジ部４の内部に配置されたタグアンテナ１１と通信部９ａに配置されたリーダ／ライタアンテナ２１間でデータ通信を行うことができる。
【００３１】
ここで、タグアンテナ１１を上部筐体２や下部筐体３、バッテリー部カバーなどに形成した場合でも、リーダ／ライタアンテナ２１とデータ通信を行うことは可能であるが、その場合は、上部筐体２又は下部筐体３の表面又は裏面を通信部９ａに対向させて近接させることになるため、従来技術で示したような問題が生じる。そこで本実施例では、タグアンテナ１１をヒンジ部４の内部、かつ、アンテナの軸方向とヒンジ部４の回転軸方向とが略一致するように配設して、図に示すようにヒンジ部４を立てた状態で利用できるようにする。
【００３２】
具体的に説明すると、ヒンジ部４は、図４（ａ）に示すように、上部筐体２に接続される円筒状の上部筐体側可動部４ａと、下部筐体３に接続される円筒状の下部筐体側可動部４ｂと、上部筐体側可動部４ａ及び下部筐体側可動部４ｂの内部の一部に挿入される、プラスチックなどで形成された棒状の軸部４ｃとで構成され、軸部４ｃを回転軸にして上部筐体側可動部４ａと下部筐体側可動部４ｂとが回動するようになっている。そして、ヒンジ部４の中央部分は、軽量化を図るために通常、空洞になっており、図４（ａ）の紙面方向の断面図を示す図４（ｂ）に示すように、この空洞部分に本実施例のタグアンテナ１１を、そのアンテナ軸方向がヒンジ部４の回転軸方向と略一致するように配設する。
【００３３】
このタグアンテナ１１として各種形状が考えられるが、アンテナの軸方向とヒンジ部４の回転軸方向とがずれないようにするためには、タグアンテナ１１は軸部４ｃと同様に上部筐体側可動部４ａ又は下部筐体側可動部４ｂの内部に挿入可能な棒状とすることが好ましく、また、タグアンテナ１１の性能を高めるためには空芯コイルよりも磁性材を磁芯とする構造の方が好ましい。そこで、本実施例では、図６（ａ）に示すように、タグアンテナ１１として、棒状の磁性材１１ｂの周囲に巻線１１ａを螺旋状に巻回した構造にし、巻線１１ａの両端部を下部筐体３などに配置されるタグ回路１２に接続するようにしている。
【００３４】
なお、図４は例示であり、その内部にタグアンテナ１１を収納可能な空間を有する構造であればよく、上部筐体側可動部４ａや下部筐体側可動部４ｂ、軸部４ｃの形状やサイズ、構造、上部筐体側可動部４ａ及び下部筐体側可動部４ｂの配列順や配列数などは特に限定されない。また、図４のヒンジ部４は、上部筐体２と下部筐体３とを開閉動作させる構造であるが、例えば、図５に示すように、開閉動作と下部筐体３に対して上部筐体２を回動させる回動動作とが可能な構造（いわゆる２軸ヒンジ構造）に対してもヒンジ部４内にタグアンテナ１１を配設することができる。この場合、回動動作を行う部分に回動軸方向に沿ってタグアンテナ１１を設置すると、携帯無線機を閉じた状態ではアンテナ軸が筐体面の法線方向を向くため、携帯無線機を図２に示すような形態で使用することができなくなる。従って、この構造の場合はタグアンテナ１１は開閉動作を行う部分に配設する必要がある。
【００３５】
また、図６（ａ）も例示であり、上部筐体側可動部４ａ又は下部筐体側可動部４ｂの内部に挿入可能な棒状の磁性材１１ｂの周囲に導電性の巻線１１ａが１ターン以上、巻回されていればよく、巻線１１ａの材料や径、巻き数、巻き方、間隔などは限定されない。また、磁性材１１ｂはその軸方向をヒンジ部４の回転軸方向と略一致させることができる構造であればよく、例えば、図６（ｂ）に示すように磁性材１１ｂを楕円柱状にしたり、角柱状にしたり、その内部を空洞にした円筒状や角筒状にしたり、透磁率が異なる複数の磁性材料を組み合わせた構造（例えば、筒状の第１の磁性材の内部に棒状の第２の磁性材を嵌入する構造など）にしてもよい。また、磁性材１１ｂの径は一定である必要はなく、図６（ｃ）に示すように端部の径を絞ってアンテナの指向性を高めたり、逆に端部の径を広げたり、径が徐々に変化するような構造としてもよい。
【００３６】
この磁性材１１ｂは、一般的な磁性材料を用いて形成することができるが、損失を低減させるために、微細な磁性金属の粉末をプラスチックまたはゴムと複合化したものを用いることもできる。この微細な粉末状磁性金属は自発磁化のため鎖状に繋がっており、粉末状磁性金属をプラスチックまたはゴムと複合化して一方向に延ばすと、図７（ａ）に示すように鎖状の繋がった粉末状磁性金属の集合体は延ばした方向に揃うため、材料を延ばした方向に磁場を印加すると、磁束が鎖状の粉末状磁性金属の集合体を通じることにより、延ばした方向の透磁率を高くすることができ、また、延ばした方向に直交する方向では、粉末状磁性金属は繋がっていないために透磁率を低くすることができる。そこで、アンテナの軸方向と磁性材１１ｂの透磁率の高い方向とが略一致するように磁性材１１ｂを製造することによって磁性材１１ｂでの損失を低減してタグアンテナ１１の性能を向上させることができる。また、粉末状磁性金属に代えて、図７（ｂ）に示すように、針状の磁性金属をプラスチックまたはゴムと複合化したものを用いてもよく、この場合も同様の効果を得ることもできる。
【００３７】
このように、本実施例の構造によれば、折り畳み型のＲＦＩＤ機能付き携帯無線機１のヒンジ部４内部にタグアンテナ１１が配設され、かつ、アンテナの軸方向とヒンジ部４の回転軸方向とが略一致するように配置されるため、ＲＦＩＤ機能付き携帯無線機１を、ヒンジ部４を立てた状態でリーダ／ライタアンテナ２１に対向させることができ、これにより、従来の構造で問題となった表示画面やレンズの損傷を未然に防止することができると共に、ＲＦＩＤ機能付き携帯無線機１の向きを識別しやすく、かつ、保持しやすくすることができるため、取り扱い性を格段に向上させることができる。
【００３８】
また、本実施例の構造では、ヒンジ部４の内部の空間に図６に示すようなタグアンテナ１１を配置するだけであるため、既存のＲＦＩＤ機能付き携帯無線機１に対して簡単に本発明のタグアンテナ１１を適用することができ、また、指向性や通信距離などの特性の異なるタグアンテナ１１に簡単に交換することもできるため、汎用性の高い構造を提供することができる。
【００３９】
なお、上記説明では、タグアンテナ１１をヒンジ部４の内部に配設したが、本発明のタグアンテナ１１は小型であり、タグアンテナ１１のアンテナ軸が筐体面の法線方向を向かないようにすれば本発明の効果が得られることから、例えば、図８に示すように、アンテナ軸が筐体の面方向を向く限りにおいて、タグアンテナ１１を上部筐体２や下部筐体３内部の任意の場所に設置することができる。また、図８では、折り畳み型の携帯無線機を示したが、タグアンテナ１１を筐体内部に設置する場合は、一体型の携帯無線機に対しても本発明を適用することができる。
【実施例２】
【００４０】
次に、本発明の第２の実施例に係るＲＦＩＤ機能付き携帯無線機について、図９を参照して説明する。図９は、タグアンテナの構造及び製造方法を模式的に示す図である。
【００４１】
前記した第１の実施例では、棒状の磁性材１１ｂを用いてタグアンテナ１１を形成したが、例えば、図９（ａ）に示すように、フィルム上に磁性材料を塗布した磁性シート１１ｃを用い、図９（ｂ）に示すように、磁性シート１１ｃをその一端から丸めることによっても棒状の磁芯を形成することができ、この磁芯の周囲に巻線１１ａを巻回することによってもタグアンテナ１１を形成することができる。
【００４２】
この構造の場合、磁性シート１１ｃの厚さやサイズ、巻き数などを代えることによって、上部筐体側可動部４ａ又は下部筐体側可動部４ｂの内部の空間に合わせて磁芯の形状も容易に変更することができるため、様々な構造のヒンジ部４に対して本発明のタグアンテナ１１を適用することが可能となり、汎用性を高めることができる。
【００４３】
また、図６に示すような磁性材１１ｂを形成する場合、粉末状磁性金属や針状磁性金属をプラスチックまたはゴムと複合化したものを圧延することによって長手方向の透磁率を高くし、損失をある程度低減することができるが、磁性シート１１ｃを用いれば特定方向の透磁率を更に高くすることができる。
【００４４】
具体的に説明すると、例えば、粉末状磁性金属や針状磁性金属を懸濁させたインクをフィルムに塗布し、このフィルムに直流磁場を印加することによって粉末状磁性金属や針状磁性金属を特定の方向に確実に揃えることができるため、特定の方向の透磁率が高い磁性シート１１ｃを簡単に形成することができ、図９（ｂ）に示すように、上記特定の方向と磁芯の長手方向とが略一致するように磁性シート１１ｃを丸めることによって更に損失の少ない磁芯を形成することができる。
【００４５】
このように本実施例では、ヒンジ部４の内部に配設するタグアンテナ１１の磁芯を磁性シート１１ｃを丸めて形成しているため、内部の空間に合わせて磁芯の形状も容易に変更することができ、汎用性を高めることができると共に、アンテナ軸方向の透磁率を高めることができるため、損失を低減してアンテナ特性を更に向上させることができる。
【実施例３】
【００４６】
次に、本発明の第３の実施例に係るＲＦＩＤ機能付き携帯無線機について、図１０及び図１１を参照して説明する。図１０及び図１１は、タグアンテナの構造を示す図である。
【００４７】
前記した第１及び第２の実施例では、上部筐体側可動部４ａ又は下部筐体側可動部４ｂの内部に軸部４ｃとタグアンテナ１１とを別々に配置したが、例えば、図１０（ａ）に示すように、軸部４ｃをヒンジ部４全体を貫通するように形成し、その軸部４ｃの所定の位置に筒状の磁性材１１ｂを被せ、その筒状の磁性材１１ｂの周囲に巻線１１ａを巻回してタグアンテナ１１を形成することもできるし、図１０（ｂ）に示すように、軸部４ｃをヒンジ部４全体を貫通するように形成し、その軸部４ｃに略等しい長さの筒状の磁性材１１ｂを被せてヒンジ部４の回転軸とし、その筒状の磁性材１１ｂの周囲の所定の位置に巻線１１ａを巻回してタグアンテナ１１を形成することもできる。
【００４８】
この構造では、上部筐体側可動部４ａ又は下部筐体側可動部４ｂの内部に図４に示すような空間がない場合（軸部４ｃがヒンジ部４全体を貫通している場合）でもタグアンテナ１１を配設することができるため、様々な形態の携帯無線機に対して本発明のタグアンテナ１１を適用することができるという利点がある。また、図４に示す構造の場合、軸部４ｃが金属材料で形成されている場合、その金属材料にタグアンテナ１１の磁束が吸収されて、アンテナ特性が劣化する恐れがあるが、上記構造の場合、タグアンテナ１１の磁束は軸部４ｃの外側の磁性材１１ｂに沿って通過するため、軸部４ｃが金属材料で形成されている場合であっても、アンテナ性能の劣化を抑制することができる。
【００４９】
なお、図１０の磁性材１１ｂを図９に示すような磁性シート１１ｃを丸めた構造にしてもよく、例えば、図１０（ａ）の構造において、磁性材１１ｂが上部筐体側可動部４ａ又は下部筐体側可動部４ｂの内壁と干渉する場合は、軸部４ｃの磁性材１１ｂを被せる部分を削るなどして径を小さく、その上に磁性シート１１ｃを巻き付ける構造とすることもできる。
【００５０】
また、前記した構造ではいずれも軸部４ｂを設けているが、例えば、タグアンテナ１１の磁性材１１ｂにヒンジ部４の回転軸としての機能を持たせることもできる。例えば、図１１（ａ）に示すように、棒状の磁性材１１ｂをヒンジ部４全体を貫通するように形成し、その棒状の磁性材１１ｂの周囲に巻線１１ａを巻回させたり、図１１（ｂ）に示すように、筒状の磁性材１１ｂをヒンジ部４全体を貫通するように形成し、その筒状の磁性材１１ｂの周囲に巻線１１ａを巻回させたり、上記棒状の磁性材１１ｂ又は筒状の磁性材１１ｂを図９に示すような磁性シート１１ｃを丸めた構造にすることもできる。
【００５１】
この構造では、図１０の構造と同様に、上部筐体側可動部４ａ又は下部筐体側可動部４ｂの内部に図４に示すような空間がない場合でもタグアンテナ１１を配置することができるため、様々な形態の携帯無線機に対して本発明のタグアンテナ１１を適用することができると共に、磁性材１１ｂがヒンジ部４の回転軸としての機能を兼ね備えるため、軸部４ｃを設ける必要がなくなり、部品点数を削減してＲＦＩＤ機能付き携帯無線機１の価格を低減させることもできる。
【００５２】
なお、上記各実施例では、ヒンジ部４の内部にタグアンテナ１１を配置し、下部筐体３の内部にタグ回路１２を配置したが、本発明は上記実施例に限定されるものではなく、タグ回路１２はＲＦＩＤ機能付き携帯無線機１のいずれかの場所に形成されていればよく、例えば、ヒンジ部４の内部にスペースがある場合は、ヒンジ部４の内部にタグアンテナ１１に加えてタグ回路１２の一部又は全部を配置してもよい。
【産業上の利用可能性】
【００５３】
本発明は携帯電話機に限らず、ＲＦＩＤ機能を備えた任意の無線通信機器、例えば、ＰＨＳ、トランシーバー、無線通信機能を備えた携帯端末機器等に対しても同様に適用することができる。
【図面の簡単な説明】
【００５４】
【図１】本発明の第１の実施例に係るＲＦＩＤ機能付き携帯無線機の外観構成を示す図である。
【図２】本発明の第１の実施例に係るＲＦＩＤ機能付き携帯無線機の利用形態を模式的に示す斜視図である。
【図３】ＲＦＩＤシステムの構成を示すブロック図である。
【図４】本発明の第１の実施例に係るヒンジ部の構造を示す斜視図及び断面図である。
【図５】本発明の第１の実施例に係るヒンジ部の構造のバリエーションを示す図である。
【図６】本発明の第１の実施例に係るタグアンテナの構造を示す斜視図である。
【図７】本発明の第１の実施例に係る磁性材の構造を模式的に示す斜視図である。
【図８】本発明の第１の実施例に係るタグアンテナの設置場所の例を示す平面図である。
【図９】本発明の第２の実施例に係るタグアンテナの構造及び製造方法を示す斜視図である。
【図１０】本発明の第３の実施例に係るタグアンテナの構造を示す斜視図である。
【図１１】本発明の第３の実施例に係るタグアンテナの他の構造を示す斜視図である。
【符号の説明】
【００５５】
１  ＲＦＩＤ機能付き携帯無線機
２  上部筐体
３  下部筐体
４  ヒンジ部
４ａ  上部筐体側可動部
４ｂ  下部筐体側可動部
４ｃ  軸部
５  表示部
５ａ  背面表示部
５ｂ  レンズ
６  操作部
７  ホイップアンテナ
８  改札ゲート
８ａ  通信部
１０  タグ
１１  タグアンテナ
１１ａ  巻線
１１ｂ  磁性材
１１ｃ  磁性シート
１２  タグ回路
１３  無線周波数回路
１４  変調回路
１５  復調回路
１６  電源回路
１７  ＣＰＵ
１８  メモリ
２０  リーダ／ライタ
２１  リーダ／ライタアンテナ
２２  リーダ／ライタ回路
２３  無線周波数回路
２４  変調回路
２５  復調回路
２６  電源回路
２７  ＣＰＵ
２８  メモリ
【図１】
2007028197.tif 000003
【図２】
2007028197.tif 000004
【図３】
2007028197.tif 000005
【図４】
2007028197.tif 000006
【図５】
2007028197.tif 000007
【図６】
2007028197.tif 000008
【図７】
2007028197.tif 000009
【図８】
2007028197.tif 000010
【図９】
2007028197.tif 000011
【図１０】
2007028197.tif 000012
【図１１】
2007028197.tif 000013